(57)【要約】  推進力の生成または発電のための軸の回転を行うためにガス・タービン・エンジンで使用される燃焼装置は、燃料および空気の入口通路ならびにノズルのシステムを備えた環状の燃焼器を備え、予め混合された燃料および空気の段階的な燃焼をもたらす。燃料および空気の入口は、前後方向の様々な位置で、円周方向に配置され、すべてのノズルが燃料空気混合気を噴射する構成、または、一部が空気だけを噴射できる構成といった、異なる構成を取ることができる。燃焼装置は、燃料と空気との最適な混合をもたらし、高価な汚染物質抑制装置に対する必要性を小さくできる汚染物質の排出を減らせる燃焼環境を作り出し、点火および火炎の安定性を高め、パイロットの問題を小さくし、燃料の適応性を向上させることができ、第１の段のノズル案内翼（ＮＧＶ）の必要な大きさを縮小し、振動の低減を改善する。
2014524562.tif 000002
【特許請求の範囲】
【請求項１】
地上にある発電用途、地上または海上にある車両または航空機エンジン用途で用いられるガス・タービン用の環状の燃焼器において、
前後方向に垂直な平面に並べられるとともに円周方向に離間された複数の燃料ノズル、空気ノズル、および／または、燃料空気ノズルと、
高温合金またはセラミック材料から作られたシェル／ライナと、
前壁と称され、内側ライナと外側ライナとを連結して環状の容積を形成する前記高温合金または前記セラミック材料から作られたライナと、
を備えることを特徴とする燃焼器。
【請求項２】
燃料空気混合気が、前記燃料／空気ノズルを出て燃焼室に入るまでに予混合されることを特徴とする請求項１記載の燃焼器。
【請求項３】
前記燃料空気ノズルは、軸流スワラおよび／またはパイロット燃料空気ノズルが配置され得る同軸の円形領域と、流れに旋回がほとんどから全く付与されない（０＜旋回＜０．５）同心の環状流れ入口とから構成されることを特徴とする請求項１記載の燃焼器。
【請求項４】
前記燃料空気ノズルは、相当の接線速度で前記流れを導入するために、前記流れにほとんどから全く旋回を付与しない前記環状流れ入口を有し、それにより前記燃焼器の出口に接近する流れの角度を実質的に増加させることで、第１の段の固定されたＮＧＶの必要な長さを短くすることを特徴とする請求項３記載の燃焼器。
【請求項５】
単列の燃料／空気ノズルは、前記外側燃焼器ライナの周りに円となるようにして配置されることを特徴とする請求項１記載の燃焼器。
【請求項６】
２列またはそれ以上の燃料／空気ノズルは、前記外側燃焼器ライナの周りに円となるようにして配置されることを特徴とする請求項１記載の燃焼器。
【請求項７】
前後方向に垂直で前記前壁の近くの共通の平面において円周方向に離間されたノズルは、下流の組合せのノズルよりも燃料の濃い燃料空気比の燃料空気混合気を噴射し、前記燃料空気混合気は、主に円周方向成分を有しつつ径方向および／または前後方向成分を有し得ることを特徴とする請求項１記載の燃焼器。
【請求項８】
前後方向に垂直で請求項７に記載のノズルから下流の共通の平面において円周方向に離間されたノズルは、請求項７記載のノズルの燃料空気比よりも燃料の薄い燃料空気比の燃料空気混合気を噴射し、前記燃料空気混合気は、主に円周方向成分を有しつつ径方向および／または前後方向成分を有し得ることを特徴とする請求項１記載の燃焼器。
【請求項９】
前記燃料空気ノズルは、特には部分負荷運転において火炎を安定する機能を提供するパイロット燃料／空気ノズルを備えることを特徴とする請求項１記載の燃焼器。
【請求項１０】
前記燃料空気ノズルは、平面から平面への角度が、項目１０で示されるようにな０度から９０度の範囲にある一定の値または変化する値を有し得ることを特徴とする請求項１記載の燃焼器。
【請求項１１】
前記燃料空気ノズルは、同じ平面において、０度から９０度の範囲にある一定の値または変化する値を有し得ることを特徴とする請求項１記載の燃焼器。
【請求項１２】
同じ平面にあって２つの組合せに分けられた前記燃料空気ノズルを少なくとも有し、各組合せが、０度から９０度の範囲にある値の異なる角度で噴射し得ることを特徴とする請求項１記載の燃焼器。
【請求項１３】
異なる平面にある前記ノズルは、同じ燃料空気比または異なる燃料空気比であり得ることを特徴とする請求項１記載の燃焼器。
【請求項１４】
同じ平面にある前記燃料空気ノズルは、同じ燃料空気比または異なる値の燃料空気比であり得ることを特徴とする請求項１記載の燃焼器。
【請求項１５】
接線方向に向けられた前記ノズルは、隣接するノズル同士がそれらの火炎をその平面において隣接するノズルに向けることになり、複数のパイロット・バーナに対する必要性を小さくするため、前記燃焼器の点火過程を非常に高めることを特徴とする請求項１記載の燃焼器。
【請求項１６】
高められた前記点火過程は、部分負荷レベル運転および全負荷レベル運転における火炎の不安定さから発生させられる火炎に誘発される振動および音を減らすことになる本質的に安定するバーナを作り出すことを特徴とする請求項１５記載の燃焼器。
【請求項１７】
接線方向の前記燃料空気ノズルの構成は、非常に低い負荷レベルにおいて、効率的な燃焼に向けて反応物の混合を高めることを特徴とする請求項１記載の燃焼器。
【請求項１８】
低ＢＴＵガスなどの低反応物燃料を、増進された火炎安定性のため、前記燃焼器において容易に利用および燃焼させることができることを特徴とする請求項１記載の燃焼器。
【請求項１９】
前記燃料空気混合気を燃焼するために必要な滞留時間を短くし、その結果、必要な燃焼空間を小さくし、それが（すべてのガス・タービン用途において重要である）エンジンの大きさを縮小し、それによって（航空機のガス・タービン用途において重要である）重量の推力に対する比を小さくすることを特徴とする請求項１記載の燃焼器。
【請求項２０】
より一様な温度分布を前記燃焼器の出口で達成することで、前記燃焼器を、前記燃焼器およびタービン部品の耐用期間を損なうことなく、より高い燃焼（点火）温度で作動させることができることを特徴とする請求項１記載の燃焼器。
【請求項２１】
請求項２０に記載されるようにより高い燃焼温度で作動する能力は、エンジン効率および出力の向上をもたらし、そのため二酸化炭素排出レベルを低下させることを特徴とする請求項１記載の燃焼器。
【請求項２２】
前記前壁ライナは、圧縮機吐出空気を、前記ライナを通して前記ライナを冷却させるとともに燃焼室の内部で燃焼排ガスと素早く混合させることができる少なくとも１つの孔（スパーク放電加工によって作られた直線状または鐘形状の入口孔であり得る）、または孔の組合せを備えることができることを特徴とする請求項１記載の燃焼器。
【請求項２３】
内側ライナおよび外側ライナの両方の半径は、前記ガス・タービン・エンジンの大きさおよび形状に依存して、前後方向に変化し得ることを特徴とする請求項１記載の燃焼器。
【請求項２４】
例えば、衝突冷却、しみ出し冷却、蒸気冷却などの、ガス・タービン構成部品を冷却するために利用可能な任意の冷却方法が用いられ得ることを特徴とする請求項１記載の燃焼器。
【請求項２５】
共通の平面に共存するノズルは、異なる平面にある別の組合せのノズルから、エンジン中心線の周りの円周方向の角度だけずらされ得ることを特徴とする請求項１記載の燃焼器。
【請求項２６】
前記燃焼器を通った後の流れは、第１の段のタービンＮＧＶの必要な長さを短縮する実質的に円周方向の速度成分を伴って前記燃焼器から出ていき、前記第１の段のタービンのための境界入口条件を実現し、結果として、関連するＮＧＶ冷却要件を減らし、そのため性能損失およびコスト問題を小さくすることを特徴とする請求項１記載の燃焼器。
【請求項２７】
窒素の酸化物の排出を最小化することを特徴とする請求項２記載の燃焼器。
【発明の詳細な説明】
【技術分野】
【０００１】
本発明は、ガス・タービン・エンジンにおいて、燃料空気混合気の燃焼を包含して生成するのを助ける装置に関する。このような装置には、限定はされないが、軍事用および民間用の航空機、発電、および、他のガス・タービンに関連する用途で使用される燃料空気ノズル、燃焼器ライナ、ケーシング、および流れ遷移部品が含まれる。
【背景技術】
【０００２】
ガス・タービン・エンジンには、非常に高温、高圧、および高速で流れる燃焼ガスから仕事を引き出す機械装置が含まれる。引き出された仕事は、発電のために発電機を駆動したり、圧縮装置を駆動したり、航空機に必要な推進力を提供したりするために使用することができる。一般的なガス・タービン・エンジンは、大気が高圧に圧縮される多段式の圧縮機を備えている。次いで、圧縮された空気は、燃焼器において規定の燃料空気比に混合され、温度が上昇させられる。そして、高温かつ高圧の燃焼ガスは、仕事を引き出すタービンを通じて膨張され、用途に応じて、必要な推進力を提供したり、発電機を駆動したりする。タービンは、一列のブレードおよび一列のベーンからそれぞれが成る１つの段を少なくとも一段備えている。ブレードは、回転するハブ軸に円周方向に配列されており、各ブレードは、高温ガス流の経路に渡る高さを有している。回転しないベーンの各段は、円周方向に配置されており、ベーンもまた高温ガス流の経路を横切って延びている。包含される発明には、燃料および空気を上記の装置に導入するガス・タービン・エンジンの燃焼器および部品が含まれる。
【０００３】
ガス・タービン・エンジンの燃焼器部は、サイロ型、筒／管型、環型、および、後者の２つを組み合わせて形成される環状筒型の燃焼器といった、いくつかの異なるタイプのものであり得る。この構成部品を通って、圧縮された燃料空気混合気は、燃料空気スワラを通過し、混合気の燃焼反応が起こり、高温ガス流を作り出し、その流れは密度が小さくされて下流へと加速していく。筒型の燃焼器は、各ノズルの火炎を個別に収める、円周方向に離間された個別の円筒を典型的には有している。そして、各円筒からの流れは、導管を通じて方向付けられ、第１段のＮＧＶに入る前に、環状の遷移部品で合流される。環型のタイプの燃焼器では、燃料空気ノズルは、典型的には、円周方向に分配されており、混合気を単体の環状室に導入し、そこで燃焼が行われる。流れは、遷移部品を必要とすることなく、環の下流端から第１段タービンへと出ていくだけである。最後のタイプの環状筒型の燃焼器の大きな違いは、燃焼器が、各円筒に供給される空気の入った環状のケーシングによって包囲される個別の円筒を有していることである。各タイプとも用途に応じて利点および難点がある。
【０００４】
ガス・タービン用の燃焼器では、いくつかの理由のために、燃料空気ノズルが混合気に旋回を与えることが典型的である。理由の１つは、混合を促進させて燃焼を増進させることであり、別の理由は、旋回を加えることで火炎を安定させて火炎が噴き出すのを防止することであり、それにより、燃料空気混合気の燃料をより薄くして排出物を減らすことができる。燃料空気ノズルは、それぞれに旋回羽根を備えた１つから複数の環状の入口など、異なる構成を取ることができる。
【０００５】
他のガス・タービンの構成部品と同様に、燃焼器の材料が溶解するのを防止するための冷却方法の実施が必要とされる。燃焼器を冷却するための典型的な方法は、燃焼器ライナを追加的なオフセットライナで包囲することで実施されるしみ出し冷却である。圧縮機吐出空気は、それら２つのライナの間を通過し、希釈孔および冷却通路を通って高温ガス流通路に入る。この技術は、構成部品から熱を除去するとともに、ライナと燃焼ガスとの間に冷たい空気の薄い境界層膜を形成し、熱のライナへの移動を防ぐ。希釈孔は、ライナにおける軸方向の位置に依存して２つの目的を果たす。すなわち、燃料空気ノズルにより近い希釈孔は、ガスの混合を助けて燃焼を増進させるとともに、未燃焼の空気を燃焼のために供給する。そして、タービンにより近い希釈孔は、高温ガス流を冷却することになり、燃焼器出口の温度プロフィールを操作するように設計することができる。
【０００６】
いくつかの方法および技術がガス・タービン・エンジン用の燃焼器の設計に取り入れられて、燃焼および低排出を改善できることは理解できる。ガス・タービンは、他の電力発電方法よりも汚染物質の生成が少なくなる傾向がある一方で、この分野における改善の余地はまだある。いくつかの国には排出物を規制する政府規則があり、技術はこれらの要件に対応するように向上していく必要がある。
【０００７】
本発明に関連して、典型的な様式で運転することができる一方で、燃料空気混合気の燃焼で生じる汚染排出物を最小限に抑えることができる、新しい改良された燃焼器の設計が提供される。本発明は、前後方向および円周方向における様々な位置で、圧縮機吐出空気および圧縮された燃料を燃焼器へと導く、予め混合された燃料空気ノズルおよび／または希釈孔を備える典型的な環型の燃焼器から成る。本発明の独自の特徴は、燃料入口および空気入口が、燃焼反応物および生成物の混合を促進させる環境を作り出すような方法で配置されていることである。燃料をより多く含むように予め混合された燃料および空気のノズルを、下流側のノズルの別の組合せより上流側に段階分けすることは、燃焼反応物の混合を促進し、ＮＯｘの生成を著しく減らす、燃焼領域における特定の酸素濃度を作り出す。また、燃焼領域の下流への圧縮機吐出空気の導入は、燃焼の間に生成されたいずれのＣＯも、第１段タービンに入る前に燃やす／消費することができる。実質的に、燃焼器は、ガス・タービンの排出レベルを改善し、それにより、排出制御装置に対する必要性を小さくするとともに、この装置の環境影響を最小とする。この改善に加え、接線方向に点火する燃料と燃料空気ノズルとは、その火炎を隣接するバーナに向かわせ、燃焼器の点火過程を非常に高め、結果的に燃焼器を出ていく流れは、第１の段のＮＧＶの必要な大きさを小さくする円周方向の大きな速度成分を有する。
【図面の簡単な説明】
【０００８】
【図１】外側燃焼器ライナに取り付けられるとともに、（図に示されていないノズルの前後方向にあり得る）燃焼器内に延びる円周方向かつ径方向を向くノズルを示す２次元の略図である。
【図２】提案された段階的な燃料および空気の噴射を行う実例の環状の燃焼器の等角の側面図である。
【図３】エンジン中心線および径方向によって区画された切断面での等角の断面図である。
【図４】図４Ａは、本発明が備え得る前壁および穿孔された前壁を示す、後方に向かって見ている等角の側面図である。図４Ｂは、図４Ａの写像の拡大図である。
【図５】図５Ａは、出口ノズルおよび入口ノズルを示す、後方から前方への視点での実例の燃焼器の等角の正面図である。図５Ｂは、図５Ａの写像の拡大図である。
【図６】燃料空気ノズルの一般的なノズルの断面部分の配置を示す２次元の図である。
【発明を実施するための形態】
【０００９】
図１は、接線方向に向けられた燃料空気ノズルを備えた環状の燃焼器の一般的な前提となるものを示すものである。燃焼器は、前後方向において一定または変化する半径を有し得る外側シェル（またはライナ）１および内側シェル（またはライナ）２、ならびに、外側シェル１および内側シェル２を連結する前壁６から構成されている。図に見られるように、本発明の実例の構成では、主に円周方向を向く予め混合された燃料空気のノズル３が示されており、角度１０は、外側ライナの接線８とノズル３の中心線９との間で形成されるが、その方向への径方向成分または前後方向成分を有してもよい。これらの様々なノズル３は、長手方向とエンジン中心線に沿う点とによって規定される共通の平面に共存してもよく、また、円周方向に等間隔とされてもよいし、または、円周方向の間隔にパターンを有していてもよい。ノズルは、予め混合された燃料空気混合気４を、外側シェル１、内側シェル２、および前壁６によって作り出される燃焼器容量内に導入する。燃料空気ノズル３によって噴射される反応物は、この領域内で燃焼し、エンジン中心線の周りに回転して燃焼器内を通る流れ場５を作り出す。燃料、空気、または、予め混合された燃料および空気が通過する上記のノズルは、図６に示すような大まかな構成を呈している。ノズルと同軸の円形領域１２が、軸線方向のスワラおよび／またはパイロット燃料／空気ノズルを保持できる領域を包囲する。同軸の環状流路１１は、通過する空気または予め混合された燃料空気混合気にほとんどから全く旋回を与えない。燃焼器に入る大きな接線速度を維持するために、あるとしても最小限の旋回が、環状流路を通る流れに導入される。この構成は、流れを、燃焼器の出口で最大の円周方向の速度成分を維持させることができ、これは、第１段のタービン・ベーンの必要な長さを短くできる。
【００１０】
図２は、燃料ノズル３が、共通の平面に共存する円周方向に離間された第２の燃料空気ノズルの組合せの上流側（左側）に配置された、本発明の実例の構成を示す。燃料ノズル３の数は、少なくとも１つであればよく、限度なく増やすことができる。圧縮機吐出空気は、図３、図４Ａ、および図４Ｂに見られるように、穿孔された前壁６を通って燃焼器容積に導入されてもよい。前壁近くにある第１の列のノズルを通じて、燃料ノズル３の下流側で噴射される混合気を伴う第２の組合せのノズルよりも燃料の濃い燃料空気比を有し得る混合気が噴射され、その噴射は、部分負荷条件および／または全負荷条件において、燃焼器からのＮＯｘおよびＣＯの排出を減少させる最適な燃焼環境を作り出すことになる、所望の混合および燃料空気の段階的効果を作り出せる。次いで、高温燃焼生成物は、図５Ａおよび図５Ｂに示すように、ガス・タービンの第１段タービンへと入る環状の開口７を通って燃焼器から出ていく。
【００１１】
本発明は、好ましい実施形態を参照しつつ上記で説明された。しかしながら、当業者は、本発明の本質および範囲から逸脱することなく、説明された実施形態において変更および修正が行われ得ることは理解するだろう。例示の目的のために本明細書で選択された実施形態への様々な変更および改良は、当業者には容易に思いつくであろう。このような改良および変更が本発明の精神から逸脱しない範囲において、それら改良および変更は、本発明の範囲内に含まれるように意図されている。
【００１２】
当業者が本発明を理解して実施できるように明確かつ簡潔な言葉で本発明を十分に説明したが、本発明は以下のように請求される。
【図１】
2014524562.tif 000003
【図２】
2014524562.tif 000004
【図３】
2014524562.tif 000005
【図４】
2014524562.tif 000006
【図５】
2014524562.tif 000007
【図６】
2014524562.tif 000008
【国際調査報告】
2014524562.tif 000009
2014524562.tif 000010